(57)【要約】【課題】  マイクロスイッチが最大収納可能数より必要収納数の方が少ない場合においてもスペーサを用いることなく組立が可能で、組立性が良い遮断器の付属スイッチ装置を得る。【解決手段】  それぞれマイクロスイッチ２を収納する複数個のスイッチケース３を連結させた状態でベース４に組み立てる遮断器の付属スイッチ装置であって、スイッチケース３の一方端に、他のスイッチケース３に係合する第１のケース係合手段３ａ、３ｂと、他方端に、別の他のスイッチケース３に係合する第２のケース係合手段３ｃ、３ｄとを設けたことを特徴とする。【選択図】図１
2005158608.tif 000002
【特許請求の範囲】
【請求項１】
遮断器の作動杆に係合して開閉する複数のマイクロスイッチと、このマイクロスイッチの夫々を収納するスイッチケースと、このスイッチケースを連結させた状態で保持するベースとからなる遮断器の付属スイッチ装置において、
上記スイッチケースは、上記スイッチケースの一方側に設けられ他のスイッチケースと係合する第１のケース係合手段と、上記スイッチケースの他方側に設けられ他のスイッチケースに係合する第２のケース係合手段とを備えたことを特徴とする遮断器の付属スイッチ装置。
【請求項２】
上記スイッチケースは、ベースとの接合面側に突設された位置決め凸部と、この位置決め凸部をベースに係合させたときに上記スイッチケースをベースに係合する抜け止め凸部とを備え、上記ベースは、上記位置決め凸部が嵌挿される位置決め凹部と、上記抜け止め凸部が嵌挿される抜け止め凹部とを備えたことを特徴とする請求項１記載の遮断器の付属スイッチ装置。
【請求項３】
遮断器の作動杆に係合して開閉する複数のマイクロスイッチと、
このマイクロスイッチの夫々を収納するスイッチケースと、
このスイッチケースを連結させた状態で保持するベースとからなる遮断器の付属スイッチ装置において、
前記スイッチケースは、第一の主面と、この第一の主面の両端にそれぞれ立設された第二、第三の主面とから構成され、前記第一の主面に設けられ連結される他のスイッチケースの一方端に係合する第１のケース係合手段と、前記第二、第三の主面に設けられ連結される他のスイッチケースに係合する第２のケース係合手段を備えたことを特徴とする遮断器の付属スイッチ装置。
【請求項４】
前記第１のケース係合手段は、
前記スイッチケースの第一の主面の一端に、ベースへの嵌挿方向に沿ってレール状に突設された第１のレールと、
上記第一の主面の第１のレールと反対端に、ベースへの嵌挿方向に沿ってレール状に突設された第２のレールとを備え、
第２のケース係合手段は、
上記スイッチケースの第二の主面の一端に、ベースへの嵌挿方向に沿ってレール状に形成された第１のレール溝と、
上記スイッチケースの第三の主面の一端に、ベースへの嵌挿方向に沿ってレール状に形成された第２のレール溝とを備えたことを特徴とする請求項３に記載の遮断器の付属スイッチ装置。
【請求項５】
前記スイッチケースは、
隣接する他のスイッチケースをベースへの嵌挿方向へ押圧する押圧部と、
隣接する他のスイッチケースの押圧部に係合し係止される受圧部とを備えたことを特徴とする請求項１あるいは３に記載の遮断器の付属スイッチ装置。
【請求項６】
連結されたスイッチケースの端面を被装する被装カバーを配設したことを特徴とする請求項１あるいは３に記載の遮断器の付属スイッチ装置。
【請求項７】
前記スイッチケースにはマイクロスイッチを保持するスイッチ保持手段を配設したことを特徴とする請求項１あるいは３に記載の遮断器の付属スイッチ装置。
【請求項８】
遮断器の作動杆に係合して開閉する複数のマイクロスイッチと、
このマイクロスイッチを連結させた状態で保持するベースを備えた遮断器の付属スイッチ装置において、
前記マイクロスイッチは、
一方端に連結される他のマイクロスイッチに係合する第１のスイッチ係合手段と、
他方端に連結される他のマイクロスイッチに係合する第２のスイッチ係合手段と、
前記ベースの接合面に突設された位置決め凸部と、
この位置決め凸部を前記ベースに係合させたときにマイクロスイッチを前記ベースに係止する抜け止め凸部とを有し、
前記ベースは、
前記位置決め凸部が嵌挿される位置決め凹部と、
前記抜け止め凸部が嵌挿される抜け止め凹部と、を備えることを特徴とする遮断器の付属スイッチ装置。
【請求項９】
第１のスイッチ係合手段は、
マイクロスイッチをベースへ嵌挿する方向に沿ってレール状に凸設された第１のレールと、
この第１のレールが配設された面の反対面にレール状に凸設された第２のレールとを備え、
第２のスイッチ係合手段は、
ベースへの嵌挿方向に沿ってレール状に凹設された第１のレール溝と、
この第１のレールが配設された面の反対面にレール状に凹設された第２のレール溝とを備えたことを特徴とする請求項７記載の遮断器の付属スイッチ装置。
【発明の詳細な説明】
【技術分野】
【０００１】
この発明は、気中遮断器の付属スイッチ装置に関し、特に複数個のマイクロスイッチ群からなる補助スイッチの取り付け構造に関する。
【背景技術】
【０００２】
従来の遮断器の付属スイッチ装置においては、マイクロスイッチ等の収容スペースを縮小するため、ベースに複数個のマイクロスイッチを並列に配置して、これを両側板の間に挟み込むように締め付けネジで串刺しにして固定するようにしているものが多い。（例えば、特許文献１参照）。
【０００３】
【特許文献１】特開平５−６２５８５号公報（図１）
【発明の開示】
【発明が解決しようとする課題】
【０００４】
従来の遮断器の付属スイッチ装置は以上のように構成しているので、ベースに複数のマイクロスイッチを取付ける際、マイクロスイッチの必要収納数が最大収納可能数より少ない場合はその隙間を埋めるために適当なスペーサを配設した上で上記締め付けネジにより串刺しにして固定していた。
【０００５】
また、締め付けネジでマイクロスイッチ群を側面から串刺しにして固定するため、組込み前に締め付けネジをマイクロスイッチの貫通穴に貫通させておく必要があり、さらに、一旦組み立てた後に修正・仕様変更の必要が生じ分解する場合、貫通させた締め付けネジを外し、ベースからマイクロスイッチ群を抜いて、再組立する必要があり作業性が極めて悪いものとなっていた。
【０００６】
この発明は、上述のような課題を解決するためになされたもので、マイクロスイッチの必要収納数の方が最大収納可能数より少ない場合においても、スペーサを用いることなく組立が可能で、組立性が良い遮断器の付属スイッチ装置を得ることを目的としている。
【課題を解決するための手段】
【０００７】
この発明に係る遮断器の付属スイッチ装置においては、遮断器の作動杆に係合して開閉する複数のマイクロスイッチと、このマイクロスイッチの夫々を収納するスイッチケースと、このスイッチケースを連結させた状態で保持するベースとを備えたものにおいて、
上記スイッチケースの一方側に設けられ他のスイッチケースと係合する第１のケース係合手段と、上記スイッチケースの他方側に設けられ他のスイッチケースに係合する第２のケース係合手段とを備えたものである。
【発明の効果】
【０００８】
この発明は上記のように構成することにより、マイクロスイッチが最大収納可能数より必要収納数の方が少ない場合においてもスペーサを用いることなく組立が可能であり、また、組立性が良好となるため、一旦組み立てた後に修正・仕様変更等の必要が生じた場合でも、分解、再組立てが容易となる効果を有する。
【発明を実施するための最良の形態】
【０００９】
実施の形態１．
図１はこの発明の実施の形態１における遮断器の付属スイッチ装置の一部断面斜視図、図２は図１の要部分解斜視図、図３はスイッチケースの拡大斜視図を示している。
図において、遮断器の付属スイッチ装置１００は、遮断器（図示していない）の作動杆１に係合して開閉する複数のマイクロスイッチ２と、このマイクロスイッチ２の夫々を収納するスイッチケース３と、このスイッチケース３を連結した状態で保持するベース４と、上記作動杆１の動作を上記マイクロスイッチ２に伝達するアクチュエータ５とで構成されている。
【００１０】
アクチュエータ５は、ベース４の軸孔４ｃに軸支された軸５ｂと、この軸５ｂにリベット５ｄにより固着された、例えばステンレス板などの弾性材料からなる板バネ５ｃと、上記作動杆１により図のB方向に回動される作動板５ａにより構成され、軸５ｂの廻りに回動自在に形成されている。またベース４にはスイッチケース３を固定するための抜け止め凹部４ａと位置決め凹部４ｂとを有している。
【００１１】
スイッチケース３は、図３に示されるように、第一の主面３１と、この主面３１からそれぞれ垂直に立設して互いに対向するように形成された第二及び第三の主面３２、３３と、上記第二及び第三の主面３２、３３を互いに連結する第四の主面３４とから構成されている。上記第一の主面３１の一方端上部には第１のレール３ａを、他方端下部には第２のレール３ｂを設け、また上記第二の主面３２の一方端上部に第１のレール溝３ｃを、上記第三の主面３３の他方端部に第２のレール溝３ｄを設けている。
【００１２】
上記第１のレール３ａ及び第２のレール３ｂは、他のスイッチケース３の一方端に係合する第１のケース係合手段を構成し、また第１のレール溝３ｃ及び第２のレール溝３ｄは、他のスイッチケース３の他方端に係合する第２のケース係合手段を構成している。第１のレール３ａ、第２のレール３ｂはスイッチケース３をベース４へ嵌挿する方向（図の上から下へ）に沿ってレール状に凸設されており、第１のレール溝３ｃ、第２のレール溝３ｄも同様に上記スイッチケース３のベース４への嵌挿方向に沿ってレール状に凹設されている。
【００１３】
さらに、上記第四の主面３４のベース４との接合面には、位置決め凸部３ｅが突設されており、この位置決め凸部３ｅを上述したベース４の位置決め凹部４ｂに嵌合させたときにスイッチケース３をベース４の抜け止め凹部４ａに係止する抜け止め凸部３ｆを設けている。また、スイッチケース３の内面にはマイクロスイッチ２を確実に保持固定するためのスイッチ保持手段である第１のピン３ｇ及び第２のピン３ｈを設置している。
【００１４】
次に、以上のように構成された遮断器の付属スイッチ装置１００の組立方法及び動作について説明する。
組立てについては、先ず、ベース４にアクチュエータ５を装着する。次いで、スイッチケース３に配設されたスイッチ保持手段である第１のピン３ｇ及び第２のピン３ｈにマイクロスイッチ２の第１の嵌挿孔２ａ及び第２の嵌挿孔２ｂを嵌挿させる。
次に、マイクロスイッチ２が保持されたスイッチケース３の位置決め凸部３ｅをベース４の位置決め凹部４ｂへ嵌挿させると共に、抜け止め凸部３ｆをベース４の抜け止め凹部４ａへ嵌挿させる。
【００１５】
同様にして、隣接する他のマイクロスイッチ２が保持されたスイッチケース３をベース４に嵌挿させる。このとき、既に装着されているスイッチケース３の第１のレール溝３ｃ及び第２のレール溝３ｄの夫々に今回装着する第１のレール３ａ及び第２のレール３ｂを上から摺動させながら嵌挿させる。以上により、既に装着されているスイッチケース３の受圧部３ｊが後で装着されたスイッチケース３の押圧部３ｉにより押圧保持されると共に、抜け止め凸部３ｆがベース４の抜け止め凹部４ａに係合するのでマイクロスイッチ２が保持されたスイッチケース３はベース４に連結させた状態で保持される。
【００１６】
上記操作を繰り返しマイクロスイッチ２の必要収納数に達すると、スイッチケース３の連結が完了した状態でベース４に保持される。最後に、図２に示す被装カバー６の凸部６ａをスイッチケースの凹部３ｋに嵌挿させると共に、嵌挿部６ｂを逃し部３ｌに嵌挿させる。この結果、マイクロスイッチ２の充電部である端子２ｃは被装カバー６により被装されるので安全である。
【００１７】
このようにして組立てられた遮断器の付属スイッチ装置１００は、遮断器の開閉動作に基づいて作動する作動杆１が矢印Ａ方向に移動すると、アクチュエータ５の作動板５ａが軸５ｂを支点に矢印Ｂ方向に回動し、板バネ５ｃが矢印Ｃ方向に回動してマイクロスイッチ２の押板２ｄ(図２参照)に作用し、マイクロスイッチ２を働かせるものである。
【００１８】
以上のように、構成された実施の形態１による遮断器の付属スイッチ装置によれば、隣接するスイッチケース３を確実に連結させることができ、マイクロスイッチ２が最大収納可能数より必要収納数の方が少ない場合においてもスペーサを用いることなく組立が可能で、確実に複数のマイクロスイッチ２をベース４に装着できる。さらに、組立完了後において、仕様変更や誤組立による分解が必要になった際に、必要な数のマイクロスイッチ２が保持されたスイッチケース３をベース４から取り外すことが可能なため、分解および修正後の再組立が容易となるものである。
【００１９】
実施の形態２．
図４はこの発明の実施の形態２における遮断器の付属スイッチ装置の一部断面斜視図を示し、図５はマイクロスイッチの拡大斜視図を示している。
この実施の形態２における遮断器の付属スイッチ装置２０はマイクロスイッチを樹脂モールド等で一体成型したタイプのものを示している。
図において、遮断器の付属スイッチ装置１０１は遮断器（図示していない）の作動杆１の動作に連動して開閉する複数のマイクロスイッチ２０と、このマイクロスイッチ２０を連結させた状態で保持するベース４と、上記作動杆１の動作をマイクロスイッチ２０に伝達するアクチュエータ５とで構成されている。
【００２０】
複数個連結されるマイクロスイッチ２０のそれぞれは、一方端に連結される他のマイクロスイッチ２０に係合する第１のスイッチ係合手段である第１のレール２０ａ及び第２のレール２０ｂを有し、他方端に、他のマイクロスイッチ２０に係合する第２のスイッチ係合手段である第１のレール溝２０ｃ及び第２のレール溝２０ｄを有するように成形されている。
第１のレール２０ａはマイクロスイッチ２０をベース４へ嵌挿する方向に沿ってレール状に凸設され、第２のレール２０ｂは第１のレール２０ａが配設された面の反対面にレール状に凸設されている。また、第１のレール溝２０ｃはベース４への嵌挿方向に沿ってレール状に凹設され、第２のレール溝２０ｄは第１のレール溝２０ｃが配設された面の反対面にレール状に凹設されている。
【００２１】
さらにまた、マイクロスイッチ２０には、ベース４との接合面には位置決め凸部２０ｅが突設されており、この位置決め凸部２０ｅをベース４に設けられた位置決め凹部４ｂに係合させたときに、マイクロスイッチ２０をベース４に設けられた抜け止め凹部４ａに係止する抜け止め凸部２０ｆを有している。
アクチュエータ５は、ベース４の軸孔４ｃに軸支された軸５ｂと、この軸５ｂに固着された、例えばステンレス板などの弾性材料からなる板バネ５ｃと、上記作動杆１により図のE方向に回動される作動板５ａにより構成され、軸５ｂの廻りに回動自在に形成されている。
【００２２】
次に、以上のように構成された遮断器の付属スイッチ装置１０１の組立方法及び動作について説明する。
組立てについては、先ず、ベース４にアクチュエータ５を装着する。次いで、マイクロスイッチ２０の位置決め凸部２０ｅ（図５参照）をベース４の位置決め凹部４ｂ（図４参照）へ嵌挿させると共に、抜け止め凸部２０ｆをベース４の抜け止め凹部４ａへ嵌挿させる。
【００２３】
同様にして、隣接する他のマイクロスイッチ２０をベース４に嵌挿させる。このとき、既に装着されているマイクロスイッチ２０の第１のレール溝２０ｃ及び第２のレール溝２０ｄの夫々に、今回装着するマイクロスイッチ２０の第１のレール２０ａ及び第２のレール２０ｂを上から摺動させながら嵌挿させる。以上により、抜け止め凸部２０ｆがベース４の抜け止め凹部４ａに係合するのでマイクロスイッチ２０はベース４に連結させた状態で保持される。
【００２４】
上記操作を繰り返しマイクロスイッチ２０の必要収納数に達すると、マイクロスイッチの連結が完了した状態でベース４に保持されることになる。
このようにして組立てられた遮断器の付属スイッチ装置１０１は、遮断器の開閉動作に基づいて作動する作動杆１が矢印Ｄ方向に移動すると、アクチュエータ５の作動板５ａが軸５ｂを支点に矢印Ｅ方向に回動し、板バネ５ｃが矢印Ｆ方向に回動してマイクロスイッチ２０の押板２０ｇに作用し、マイクロスイッチ２０を働かせるものである。
【００２５】
以上のように、構成された実施の形態２による遮断器の付属スイッチ装置によれば、隣接するマイクロスイッチ２０を確実に連結させることができ、マイクロスイッチ２０装着のためのスイッチケース、締付ネジ、スペーサ、絶縁板といった部品が不要となり、構成が簡単になると共に組立が容易となる効果を有する。
さらに、組立完成後において、仕様変更や誤組立による分解が必要になった際に必要な数のマイクロスイッチ２０をベース４から取外すことが可能なため、分解および修正後の再組立が容易となる。
【図面の簡単な説明】
【００２６】
【図１】この発明の実施の形態１における遮断器の付属スイッチ装置の一部断面斜視図である。
【図２】図１の要部分解斜視図である。
【図３】図１のスイッチケースの拡大斜視図である。
【図４】この発明の実施の形態２における遮断器の付属スイッチ装置の一部断面斜視図である。
【図５】図４のマイクロスイッチの拡大斜視図である。
【符号の説明】
【００２７】
１  作動杆、２  マイクロスイッチ、
３  スイッチケース、
３ａ  第１のレール、３ｂ  第２のレール、３ｃ  第１のレール溝、
３ｄ  第２のレール溝、
３ｅ  位置決め凸部、３ｆ  抜け止め凸部、３ｇ  第１のピン（スイッチ保持手段）、
３ｈ  第２のピン（スイッチ保持手段）、３ｉ  押圧部、３ｊ  受圧部、
４  ベース、４ａ  抜け止め凹部、４ｂ  位置決め凹部、５  アクチュエータ、
６  被装カバー、２０  マイクロスイッチ、
２０ａ  第１のレール、
２０ｂ  第２のレール、
２０ｃ  第１のレール溝、
２０ｄ  第２のレール溝、
２０ｅ  位置決め凸部、２０ｆ  抜け止め凸部、
１００，１０１  遮断器の付属スイッチ装置。
【図１】
2005158608.tif 000003
【図２】
2005158608.tif 000004
【図３】
2005158608.tif 000005
【図４】
2005158608.tif 000006
【図５】
2005158608.tif 000007